(57)【要約】【課題】包装箱の蓋板を開けやすくする。【解決手段】蓋板７を一の側壁６上縁に折曲自在に設け、その蓋板７前端に差込片８を設けて、その差込片８を対向する他の側壁５側に差し込んで構成する包装箱１０において、前記差込片８に押込片２２を設け、その押込片２２を押し込むことにより指の挿入孔２１を形成する。また、その挿入孔２１に対向する部分の前記他の側壁５に切取片１２を設け、その切取片１２を切離すことにより透孔１１が形成されるようにする。その挿入孔２１は、収容物Ａが近接しない部分に設けられ、その押込片２２外側面と切取片１２内側面とを貼着して蓋板７を封止する。切取片１２及び押込片２２を内側に押し込むことにより、両片１２，２２が内部に押し込まれ、その挿入孔２１を介して内側に指を挿し入れることができるので、蓋板７を持ち上げやすい。また、この押込みにより、前記貼着部分が前側壁５から切り離されるので、蓋板７の開放が容易である。【選択図】図１
2005280800.tif 000002
【特許請求の範囲】
【請求項１】
上面開口の包装箱１０の蓋板７を一の側壁６上縁に折曲自在に設け、その蓋板７前端に折目線ｒを介して差込片８を設け、その差込片８が、前記一の側壁６に対向する他の側壁５側に差し込まれる包装箱１０において、前記差込片８に指の挿入孔２１を形成したことを特徴とする包装箱。
【請求項２】
前記挿入孔２１は、前記差込片８の端縁に開口して設けられることを特徴とする請求項１に記載の包装箱。
【請求項３】
前記挿入孔２１は、前記差込片８に、切目線ｃを介して設けられた押込片２２を、包装箱１０の内側に向かって押さえることにより、前記差込片８に対して内側へ折込み又は切離して形成されることを特徴とする請求項１又は２に記載の包装箱。
【請求項４】
前記挿入孔２１に対向する部分の前記他の側壁５に、その挿入孔２１に対応する透孔１１を設けたことを特徴とする請求項１乃至３のいずれかに記載の包装箱。
【請求項５】
前記透孔１１は、前記他の側壁５に、切目線ｄを介して設けられた切取片１２を、包装箱１０の内側に向かって押さえることにより、前記他の側壁５から切離して形成されることを特徴とする請求項４に記載の包装箱。
【請求項６】
前記差込片８外側面と前記他の側壁５内側面とを貼着して蓋板７を封止するに際し、その貼着は、押込片２２外側面と切取片１２内側面との間で行うことを特徴とする請求項５に記載の包装箱。
【請求項７】
前記挿入孔２１の設置位置は、その包装箱１０に収められる収容物Ａが、その差込片８の内側面に接しない部分に設けられることを特徴とする請求項１乃至６のいずれかに記載の包装箱。
【発明の詳細な説明】
【技術分野】
【０００１】
この発明は、上面開口を閉じる蓋板を設けた包装箱において、その蓋板を開けやすくするための構造に関するものである。
【背景技術】
【０００２】
底板とその底板周囲に立設された側壁とを有する上面開口の包装箱において、その上面開口を塞ぐ蓋板は、通常、その周囲側壁上縁の一部より上方へ向かって延設される。その蓋板は、前記上縁より内側へ向かって折り曲げられて、その蓋板先端に設けられた差込片を包装箱内部に差し込んで、蓋板を閉じた状態で固定するようになっている。
【０００３】
この種の包装箱において、内部に商品等を収容した後、蓋板は、その差込片外側面とその外側面に対向する側壁内面とが糊付け等により貼着して、開かないように封止される。このため、開封の際には、この貼着した前記差込片外側面とその外側面に対向する側壁内面との間の隙間に指等を挿し入れることにより、その貼着部分に係る差込片と側壁とを分離して蓋板を開放する必要があるので、作業が面倒である。
【０００４】
この面倒な開封作業を容易にするために、例えば、図６（ａ）に示すように、前側壁５の貼着部分周囲に切目線ｄを設けた包装箱１がある。この態様の包装箱１を開封する際には、図中の切目線ｄに囲まれた側壁側の貼着部分５’を差込片８とともに外側から内側に向かって押し込んで、その側壁側貼着部分５’を切目線ｄに沿って側壁５から切り離す。このとき、その切り離した部分５’が差込片８と一体となっているので、差込片８は、側壁５から分離されて開封できるようにしたものである。
【０００５】
この構成によれば、前記側壁側貼着部分５’を切取ることにより、差込片８と前側壁５とが容易に分離されるので便利である（例えば、特許文献１、特許文献２参照）。
【特許文献１】実開昭４７−８５２７号公報
【特許文献２】実開昭５３−４５１２３号公報
【発明の開示】
【発明が解決しようとする課題】
【０００６】
しかし、上記の包装箱１において、図６（ｂ）に示すように、差込片８は、包装箱１内に差し込まれた状態において、内部の収容物Ａやあるいは端面の側壁３，３上縁から内側に折り込まれた折込片３ａ，３ａ等に当接しているので、その包装箱１内では拘束されて自由に回動することができない場合が多い。特に、図中に示すように、内部の収容物Ａが差込片８及び前側壁５に近接している場合には、前記側壁貼着部分５’を図中の矢印ａのように内側へ押し込もうとすると、差込片８が収容物Ａに当たってしまうので、前記側壁貼着部分５’及び差込片８ともに内側に折り曲がらない。このため、前記側壁貼着部分５’を押し込むことができず、側壁５から切り離すことができないことがある。
【０００７】
また、仮に、前記側壁貼着部分５’を切り離すことができても、その側壁貼着部分５’を伴った差込片８は、収容物Ａに当たって内側に折り曲がらないため、蓋板７を、図中の矢印ｂのように、上方へ向かって持ち上げる方向へ力を加えにくいという問題がある。蓋板７の下面側に指等を挿し入れることができないからである。
【０００８】
そこで、この発明は、蓋板の差込片が差し込まれて閉じた包装箱において、その蓋板を開けやすくすることを課題とする。
【課題を解決するための手段】
【０００９】
上記の課題を解決するために、この発明は、蓋板の差込片に指の挿入孔を設けて、その孔を介して差込片内側に、指や開蓋用の棒材等を挿し入れ可能としたのである。このようにすれば、包装箱内において、差込片の向き、状態にかかわらず、その蓋板又は差込片に力を加えやすくなり、その結果、蓋板を上方へ向かって押し上げできるので、蓋板の開放が容易である。
【００１０】
具体的には、上面開口の包装箱の蓋板を一の側壁上縁に折曲自在に設け、その蓋板前端に折目線を介して差込片を設け、その差込片が、前記一の側壁に対向する他の側壁側に差し込まれる包装箱において、前記差込片に指の挿入孔を形成したのである。
【００１１】
このように、指の挿入孔を設けたので、その挿入孔から指等を差込片内側に挿し入れれば、その蓋板を上方へ向かって押し上げることができる。このようにすれば、差込片全体を内側に向かって押さえつけることなく蓋板を開放できるので、差込片が内部の収容物や端部側壁の折込片等に当たってその蓋板の開放が阻害されることがない。このため、蓋板をスムースに開放でき、その開放作業が容易である。また、蓋板、差込片が前側壁との間で接着剤やテープ等により貼着されている場合には、蓋板、又は差込片に力を加えやすいという前記効果により、その貼着部分を蓋板の開放と同時に剥がしやすいので便利である。
なお、この挿入孔は、前記差込片の端縁（前端縁又は両側方端縁）に開口して設けてもよい。そのようにすれば、挿入孔の形成が容易であるとともに、その挿入孔に指等を挿し入れる際に、その開口方向からの挿入ができるので、迅速な開放作業が可能となる。
【００１２】
また、前記挿入孔は、前記差込片に、切目線を介して設けられた押込片を、包装箱の内側に向かって押さえることにより、その押込片を、差込片に対して内側へ折込み又は切離して形成されるようにしてもよい。このようにすれば、包装箱開封前であれば、前記挿入孔部分は差込片と一体の板状に形成されているので、挿入孔を設けることによる蓋板及び差込片の剛性低下を抑えることができる。また、包装箱開封前の輸送中、保管中等は、挿入孔が閉じられており、包装箱内の密閉度合いが高まるので好ましい。
【００１３】
一方、上記の包装箱の構成において、前記挿入孔に対向する部分の前記他の側壁に、その挿入孔に対応する透孔を設けた構成を採用し得る。このようにすれば、その透孔を介して前記挿入孔が包装箱外面に露出するので、その挿入孔に指等を挿し入れる際に、差込片の外側に位置する側壁が邪魔にならない。このため、さらに蓋板が開放しやすくなる。
【００１４】
さらに、その透孔は、前記他の側壁に、切目線を介して設けられた切取片を、包装箱の内側に向かって押さえることにより、その切取片を、前記他の側壁から切離して形成されるようにしてもよい。その効果は、前記挿入孔に押込片を設けた場合の効果と同様であり、加えて、この切取片を設けることにより、包装箱開封前には、その透孔が目立たなくなるので包装箱の外観が綺麗になる。また、その切取片が切目線を介して切り取られているかどうかの状態により、包装箱開封の有無をも確認できるので望ましい。
【００１５】
なお、蓋板が開かないように封止する必要がある際には、その蓋板又は差込片と側壁とを貼着することになるが、その貼着を、押込片外側面と切取片内側面との間で行うようにすれば、前記切取片、押込片を内側に向かって押さえて切取片を前記他の側壁から切離しすると、同時に、貼着された差込片と前記他の側壁とが分離されるので、封止していた蓋板が容易に開放される。このとき、その切取片の押込みにより、差込片のうち押込片部分のみが内側へ押込まれ、差込片全体を回動させるような大きな力を作用させることがないので、その押込みはスムースに行われて、蓋板の開放に大きな力が必要ない。
【００１６】
この挿入孔の設置位置は、その包装箱に収められる収容物が、その差込片の内側面に接しない部分に設けられるようにすれば、その挿入孔から指等を挿し入れやすくなり、また、前記切取片、押込片を内側に押し込みやすくなるので望ましい。
【発明の効果】
【００１７】
この発明は、以上のようにしたので、蓋板の差込片が、包装箱内部の収容物や端部側壁の折込片等に支障せず、蓋板を容易にスムースに開放できる。
【発明を実施するための最良の形態】
【００１８】
一実施形態を図１乃至図５に示す。この実施形態の包装箱は、医療用のアンプル収納用の包装箱１０であり、図４に示すブランクによって形成されるものである。その組み立てた形態は、図１に示すように、四辺形の底板２とその底板２周囲に立設された両側の端側壁３，３、及び対向する前後側壁５，６とを有する上面開口の形態を有するものである。
【００１９】
その上面開口を塞ぐ蓋板７は、後側壁６の上縁４より上方へ向かって延設して、その後側壁６に対して折曲自在に設けられる。その蓋板７前端には、折目線ｒを介して差込片８がその包装箱１０の幅方向全長に亘って設けられ、その差込片８が、前記後側壁６に対向する前側壁５側において、その前側壁５内側面と、前記両側端側壁３，３上縁に折曲自在に設けられた折込片３ａ，３ａの端縁との隙間に差し込まれる。
【００２０】
その差込片８には、指を挿入できる程度の大きさの挿入孔２１が設けられる。この挿入孔２１は、図２に示すように、前記差込片８に、ミシン目による弧状の切目線ｃが設けられ、その切目線ｃに沿って差込片８を切断することにより、その切目線ｃの内側部分が押込片２２となって差込片８に対して内側へ折込み可能となっている。この押込片２２部分を、包装箱１０の外側から内側に向かって押さえることにより、その押込片２２が内側に折込まれて差込片８に挿入孔２１を形成する。
【００２１】
この挿入孔２１は、図３（ａ）及び（ｂ）に示すように、その包装箱１０に収められる収容物Ａがその差込片８の内側面に接しない部分、特に、図中に示すように、収容物Ａが差込片８内側面から一定の距離だけ離れた状態にある部分に設けられる。
【００２２】
また、その挿入孔２１に対向する部分に位置する前側壁５には、その挿入孔２１に対応する位置、大きさ、形状を有する透孔１１が設けられる。この透孔１１は、同じく図２に示すように、前記前側壁５に、その前側壁５上縁に開口したミシン目による弧状の切目線ｄが設けられ、その切目線ｄに沿って前側壁５を切断することにより、その切目線ｄの内側部分が切取片１２となって前側壁５から切取可能となっている。この切取片１２部分を、包装箱１０の外側から内側に向かって押さえることにより、その切取片１２が切り取られて前側壁５上縁付近に透孔１１を形成する。なお、前記両折目線ｃ，ｄの位置、大きさは、一致するようになっている。
【００２３】
前記挿入孔２１に対応する位置、大きさ、形状とは、その透孔１１内周の縁が、前述のように、挿入孔２１内周の縁に一致するか、あるいは、それに近い位置にあって、指等を挿入する際に、その両孔１１，２１がその指等の挿入を阻害しない程度に一致していることをいう。すなわち、切取片１２を包装箱１０の内側に押し込んだ際には、その切り取られた切取片１２がその挿入孔２１内に収まって、差込片８の内側に指等を挿し入れる妨げとならない状態であることが望ましい。さらに好ましくは、透孔１１内周の縁が、挿入孔２１内周の縁に一致するか、あるいは、切り取られた前記切取片１２が、挿入孔２１の縁に当たらないように、その透孔１１内周の縁がその挿入孔２１内周の縁よりも内側に位置していることが望ましい。
【００２４】
この包装箱１０は、内部に商品等の収容物Ａを収容した後、蓋板７は、その内部に差し込まれた前記差込片８外側面とその外側面に対向する前側壁５内側面とが糊付け等により貼着して蓋板７を開かないように封止した状態で出荷等されることを想定している。その貼着は、前記押込片２１外側面と切取片１１内側面との間に接着剤等を塗布して行うようにしている。
【００２５】
この包装箱１０の作用を説明すると、図１に示すように、包装箱１０内に収容物Ａが収容されて、蓋板７が、図３（ａ）に実線で示す位置から鎖線で示す位置へと閉じられ、前側壁５の内側に差し込まれた差込片８が、前側壁５に貼着された状態にある。
【００２６】
蓋板７を開けて開封する際には、図３（ｂ）に示す前側壁５の切取片１２を、包装箱１０の外側から内側に向かって指で押し込んで、図３（ａ）に鎖線で示すように、押込片２２をその切取片１２とともに、外側から内側に向かって折り曲げる。このとき、その押込片２２の折曲範囲（この折曲げによって押込片２２が回動する空間の範囲）には、図３（ａ）及び（ｂ）に示すように、収容物Ａが位置しないので、押込片２２は、支障なく折り曲がって、その差込片の内側の空間に指が挿入可能な状態となる。
【００２７】
この押込みの際に、切取片１２は、押込片２２の外側面に貼着されており、この押込により切目線ｄに沿って前側壁５から切り離される。このため、切取片１２は、押込片２２に貼着されたまま差込片８に追随するので、蓋板７は前側壁５から分離されて、上方へ開放可能な状態となる。なお、図３（ａ）では、折り曲げられた押込片２２の外側に貼着された切取片１２は図示していないが、蓋板７の開封後は、この切取片１２が、差込片８に貼着されたままであってもよいし、図示するように除去されていてもよい。
【００２８】
押込片２２が内側に折り曲がげられると、その押込みによって除去された切取片１２、及び押込片２２跡に形成された透孔１１、挿入孔２１に指を挿し入れた状態となるので、その指で蓋板７を上方へ向かって持ち上げる。このとき、押込片２２のみが内側へ向かって折り曲げられて、差込片８は、図３（ａ）に示す前側壁５に沿った状態（底板２に対して垂直な状態）で維持されて、包装箱１０の内側へほとんど回動しないので、差込片８が、前側壁５と収容物Ａ及び折込片３ａ，３ａの前側壁５側端縁に支障せず、その隙間に沿って上方へ抜き取りやすい。このため、蓋板７がスムースに開放される。
【００２９】
なお、押込片２２の前記折曲範囲、及び指を挿し入れる範囲には、前述のように、収容物Ａが位置しないことが望ましいが、押込片２２の、折り曲げに支障がなく、また、その差込片８内側の空間に、指が挿入可能で且つ蓋板７を持ち上げ可能な状態にある限りにおいて、収容物Ａが挿入孔２１の間近に位置していてもその機能に影響はない。このため、包装箱１０内に収容する収容物Ａは、前記機能を阻害しない限りにおいて、この実施形態の医療用アンプルに限定されることなく、それ以外の任意の収容物にも対応可能である。また、この一連の作業において、指を押し込むかわりに開蓋用の棒材等を使用することは差し支えない。
【００３０】
なお、この包装箱を組み立てる際には、、図４に示すブランクにおいて、底板２の四方に連設された両端側壁３，３、及び前後側壁５，６を上方へ折り曲げて立ち上げ、その前後側壁５，６の両端に延設された折込片５ａ，６ａを前記両端側壁３，３の内側に折り込んで、その折込片５ａ，６ａの外側面と前記両端側壁３，３の内側面とを接着剤等により貼着する。前記両端側壁３，３上縁の折込片３ａ，３ａを内側に折り曲げるとともに、蓋板７を後側壁６上縁に沿って内側に折り曲げて、差込片８を前側壁５の内側に差し込む。その差込の際に、前側壁５の切取片１２の内側面と、差込片８の押込片２２の外側面とを接着剤等により貼着すればよい。
【００３１】
この実施形態では、差込片８と前側壁５とを貼着することにより、蓋板７が開かないように封止したが、この実施形態には限定されず、貼着の必要がない場合にはその貼着を省略してもよい。
また、貼着する場合には、その貼着方法は自由であり、例えば、テープ等を使用してもよい。テープを使用した貼着を施す場合には、前記前側壁５の切取片１２の内側面と、差込片８の押込片２２の外側面とを両面テープ等で貼着してもよいが、図３（ａ）に鎖線で示す、蓋板７を閉じた状態において、その蓋板７上面と前側壁５外側面との間に跨って、封止テープを貼着してもよい。この蓋板７上面と前側壁５外側面とに跨る封止テープは、前記接着剤による貼着の場合と同様、透孔１１の切取片１２を前側壁５から切り離すことにより、その作業と同時に剥がすことができるような位置に貼着することが望ましい。すなわち、透孔１１に指を入れた際に、その封止テープの下端縁に指を係止してその封止テープを上方へ持ち上げることができるように、透孔１１の上下方向中程にその封止テープ下端縁を位置させることが望ましい。差込片８内側への指の挿し入れは、前述のように、透孔１１、及び挿入孔２１を設けたそれぞれの効果により無理なくスムースにできるので、封止テープは、その挿し入れた指の動作による蓋板７の開放に合わせて、上方へ向かってスムースに剥がすことができるのである。
【００３２】
また、切取片１２の効果を期待しない場合には、切取片１２を設けないで、透孔１１のみ設けるようにした構成を採用し得る。このように切取片１２を設けない場合においても、前述の態様と同様、蓋板７上面と前側壁５との間の貼着に封止テープを使用して同様の効果を得ることができる。また、前記前側壁５の内側面と差込片８の外側面とを貼着する場合においては、その貼着位置は自由である。
なお、切取片１２を設けていても、その切取片１２を切り取ることにより、その差込片８と前側壁５との貼着部分を分離しやすいという前記効果をそれほど期待しない場合には、前記前側壁５の内側面と差込片８の外側面との間において、切取片１２部分以外で貼着してもよいが、切取片１２に相当する部分以外で貼着、あるいは、切取片１２部分とそれ以外の部分を含めて貼着した場合であっても、前記透孔１１、及び挿入孔２１を設けたそれぞれの効果により、蓋板７の開放に合わせて、貼着部分をスムースに剥がすことができるのは、前記封止テープを使用した場合の効果と同様である。
【００３３】
さらに、その切取片１２を省略するとともに、透孔１１の設置も省略するようにした態様も考えられる。例えば、図５（ａ）に示すような態様である。この場合、蓋板７を開放する際には、前側壁５と差込片８との隙間に指を挿し入れてその隙間を押し広げ、挿入孔２１に指を挿し込んで蓋板７を持ち上げればよい。この図５（ａ）の態様によっても、差込片８が回動せずに、蓋板７が開けやすいという効果は、上記実施形態の場合と同様である。
【００３４】
なお、上記の透孔１１及び挿入孔２１の形状は、この実施形態の弧状に限定されず自由であることはいうまでもない。それぞれ、切取り、又は押込みに支障を及ぼさない限りにおいて、その形状、大きさは自由である。ミシン目による切目線ｃ，ｄを設ける範囲も同様に、その切取り、又は押込みに支障を及ぼさない限りにおいて自由である。このため、  例えば、図５（ｂ）に示すように、２本の切目線及び折目線ｒを介して内側に折込み可能とした挿入孔２１、押込片２２の態様も採用可能である。
【００３５】
また、上記実施形態では、差込片８は、包装箱１０の幅方向、つまり前側壁５にそってその全長に亘って設けたが、この実施形態には限定されず、差込片８はその幅方向に一部に設けられたものであっても良い。
【００３６】
さらに、例えば、挿入孔２１を形成する切目線ｃを環状、あるいは差込片８端縁（差込片８の前端縁又は両側端縁）に開口させた弧状、コの字型等として、押込片２２を差込片８から切り離し可能とした態様も考えられるほか、その押込片２２の設置を省略した態様も考えられる。押込片２２の設置を省略した態様としては、例えば、差込片８を、前側壁５に沿う包装箱１０の幅方向に断続的に設けるようにして、その差込片８が途切れた部分を、差込片８端縁に開口した前記挿入孔２１としてもよい。これは、例えば、図５（ｂ）に示す態様において、図中の押込片２２を省略したような態様が想定される。
このように、押込片２２を省略した場合、開封前の状態において、差込片８の挿入孔２１は押込片２２によって塞がれた状態にならないので、包装箱１０内の密閉度合いを高めて、収容物Ａをより確実に保護するためには、前記透孔１１は、前述のように省略するか、あるいは切取片１２を設けた態様とするのが望ましい。
【００３７】
さらに、包装箱１０の外形は、この実施形態のように、四角形の底板を有するものには限定されず、一の側壁上縁に折曲可能に設けられた蓋板前端の差込片が、その対向する他の側壁側に差し込まれて蓋板が閉じられる構成の包装箱において実施可能であり、例えば、底板の形状が、六角形や八角形のような包装箱であってもよい。
【図面の簡単な説明】
【００３８】
【図１】一実施形態の斜視図
【図２】同実施形態の斜視図
【図３】図１の詳細図で、（ａ）は右側面図、（ｂ）は正面図
【図４】同実施形態のブランクを示す平面図
【図５】他の実施形態の斜視図
【図６】従来例を示し、（ａ）は斜視図、（ｂ）は側面図
【符号の説明】
【００３９】
１，１０  包装箱
２  底板
３  端側壁
４  上縁
５  前側壁
６  後側壁
７  蓋板
８  差込片
１１  透孔
１２  切取片
１３  取手孔
２１  挿入孔
２２  押込片
Ａ  収容物
ｃ，ｄ，ｅ  切目線
ｒ  折目線
【図１】
2005280800.tif 000003
【図２】
2005280800.tif 000004
【図３】
2005280800.tif 000005
【図４】
2005280800.tif 000006
【図５】
2005280800.tif 000007
【図６】
2005280800.tif 000008